(57)【要約】【課題】人工呼吸器を使用するために患者の口部に固定する挿管チューブを確実に固定できるようにする。【解決手段】可撓性と適度の伸縮性を有する基材の一面に、粘着剤層を形成した帯状テープの長手方向の一部に連結部５を残し幅方向に分割して分割片６を設け、この分割片６を口から挿入した挿管チューブ１６に貼り付けると共に他の分割片６及び連結部５を口唇部周縁に貼り付けるように形成した固定用テープ４がある。また、可撓性と適度の伸縮性を有する基材の一面に粘着剤層を形成した帯状テープであって、上記固定用テープ４の口唇部周縁へ貼り付けた部分の上に貼り付けることにより固定用テープ４の貼り付け状態を確実に保持するように形成した保持用テープ１１、１３がある。上記固定用テープ４と保持用テープ１１、１３を組み合わせて挿管チューブ１６を定着するためのテープとする。【選択図】図３
0003128984.tif 000002
【実用新案登録請求の範囲】
【請求項１】
可撓・伸縮性基材の一面に粘着剤層を形成した帯状テープの長手方向の一部に連結部を残し幅方向に分割して分割片を設け、該分割片を口から挿入した挿管チューブに貼り付けると共に他の分割片及び連結部を口唇部周縁に貼り付けるように形成した固定用テープと、可撓・伸縮性基材の一面に粘着剤層を形成した帯状テープであって、上記固定用テープの口唇部周縁へ貼り付けた部分の上に貼り付けて固定用テープの貼り付け状態を確実に保持するように形成した保持用テープを組み合わせた挿管チューブ定着用テープ。
【請求項２】
上記固定用テープの分割片は、固定用テープの長手方向の３０〜８０％の長さを占める請求項１に記載の挿管チューブ定着用テープ。
【請求項３】
上記固定用テープ複数枚と、保持用テープ複数枚を備える請求項１または２に記載の挿管チューブ定着用テープ。
【請求項４】
上記保持用テープの一部または全部が、帯状テープの長手方向の側縁の一部に鼻部に対応するような切り欠き部を備える保持用テープである請求項３に記載の挿管チューブ定着用テープ。
【考案の詳細な説明】
【技術分野】
【０００１】
本考案は、患者の口から挿入された挿管チューブを口部に定着しておくためのテープに関する。
【背景技術】
【０００２】
人工呼吸器を使用するために、患者の口から挿管チューブを挿入し、このチューブによって呼吸を確保することが行われている。この挿管チューブの端末は口部に位置させているが、この挿管チューブが脱落したり、設定位置よりも過度に挿入されたりすることを防ぐために、口部に定着しておく必要がある。
【０００３】
こうした挿管チューブの端末の口部における定着は、従来、普通の絆創膏を使用し、口唇部の皮膚表面に貼り付けた絆創膏の一端を、挿管チューブに巻きつけることによって行われていたが、この定着が長時間に渡ることもあり、定着状態が不安定であると共に口唇部の皮膚に刺激を与えてかぶれを生じさせたりすることもあった。
【０００４】
また、挿管チューブに巻きつけるためには、巻き付ける部分が細い方が巻き付け易いために、使用する絆創膏の一部を半幅となるように予め鋏でカットしておき、半幅となった絆創膏の一方側を口部に貼り付け、半幅の他方側を挿管チューブに巻きつけることが行われるようになったが、こうした絆創膏を予め用意しておくことも煩雑であった。
【０００５】
そして、この絆創膏を長時間に渡って口部に貼り付けておくこともあるために、皮膚にかぶれを生じさせることも多い。こうしたかぶれを起こさせないようにするには、皮膚にストレスを与えないような、皮膚刺激の弱い、低粘着性の絆創膏を使用するとよいが、この種のものでは、粘着作用が弱いために患者が無意識の内に剥がしたりする危険性があるし、唾液によっても剥がれ易いという欠点があった。
【考案の開示】
【考案が解決しようとする課題】
【０００６】
本考案は、挿管チューブを口部に確実に定着することができ、患者が無意識の内に剥がしたりする危険性もなく、唾液によっても容易に剥がれず、皮膚に対する刺激が少なく、かぶれを起こさせないようにして挿管チューブを口部に定着することができるような粘着テープを提供しようとするものである。
【課題を解決するための手段】
【０００７】
本考案は、可撓性と適度の伸縮性を有する基材の一面に、粘着剤層を形成した帯状テープの長手方向の一部に連結部を残し幅方向に分割して分割片を設け、この分割片を口から挿入した挿管チューブに貼り付けると共に他の分割片及び連結部を口唇部周縁に貼り付けるように形成した固定用テープと、可撓性と適度の伸縮性を有する基材の一面に粘着剤層を形成した帯状テープであって、上記固定用テープの口唇部周縁へ貼り付けた部分の上に貼り付けることにより固定用テープの貼り付け状態を確実に保持するように形成した保持用テープを組み合わせるようにして挿管チューブを定着するためのテープとするものである。
【考案の効果】
【０００８】
本考案によれば、挿管チューブを固定した固定用テープの上から、保持用テープを貼り付けることができるので、挿管チューブを口部にしっかりと定着しておくことができるので、患者が無意識の内にチューブに触ったりしても剥がしたりする危険性もなく、また口から唾液が出たとしても容易に剥がれず、挿管チューブの口部での定着状態を確実に維持することができる。また、このテープによって、貼り付けた口唇部の皮膚に過度の刺激を与えてかぶれを起こさせるような危険性を少なくすることができる。
【考案を実施するための最良の形態】
【０００９】
帯状テープ１を形成する基材２は、患者の口唇部周縁の凹凸に沿うことができるような可撓性と適度の伸縮性を持っているものが好ましく、織布、プラスチック、不織布などを用いることができるが、例えば、ウレタン不織布は好適に使用することができるものである。
この基材２の一面には、粘着剤層３を形成しており、その粘着剤としては、ゴム系、アクリル系、ウレタン系、シリコン系、ビニルエーテル系などを用いることができるが、皮膚に対する刺激性が少ないことからアクリル系粘着剤を用いることが好ましい。
【００１０】
固定用テープ４は、上記帯状テープ１の一部に連結部５を残して、横幅を分割して分割片６を形成している。この帯状テープ１は、長さを１５〜５０ｃｍ程度、幅を２〜４ｃｍ程度、分割片６の長さを帯状テープの長さの約３０〜８０％程度に形成するとよい。
図示するものは、長さ２０ｃｍ、幅２．５ｃｍの帯状テープ１に、その幅方向の中央部に切線７を入れて、長さ１２ｃｍの分割片６を２本形成したものである。
この分割片６は、場合に応じて２本以上形成することも可能である。
【００１１】
保持用テープ１１は、上記帯状テープ１を使用して形成したもので、口唇部に貼付された固定用テープ４の貼り付け状態を保持することができる大きさがあればよいが、通常上記固定用テープ４と同程度の大きさに形成すると便利である。図示するものは、帯状テープ１を長さ２０ｃｍ、幅２．５ｃｍに形成したものである。
【００１２】
また、この帯状テープ１には、鼻の下の口唇部に貼付する場合に鼻の邪魔にならないような切り欠き部１２を設けて鼻部の保持用テープ１３とすることができる。この切り欠き部１２は、帯状テープ長さの１０〜８０％程度、幅の１０〜５０％程度の大きさに形成するとよい。この鼻部の保持用テープ１３は、鼻部以外の位置に適宜使用することは自由にできる。
図示する保持用テープ１３は、帯状テープ１を長さ２０ｃｍ、幅２．５ｃｍに形成し、その長手方向の中央部に長さ５ｃｍ、幅１ｃｍのほぼ台形状の切り欠き部１２を形成したものである。
【００１３】
上記固定用テープ４及び保持用テープ１１、１３の粘着剤層３の表面は、剥離シート１４で覆うようにするとよく、帯状テープの長手方向の適宜位置に剥ぎ取り用の切線１５を設けると使用し易く、特に固定用テープ４では、図示するように連結部５と分割片６の境目にこの切線１５を設けると使い易い場合が多い。
【００１４】
こうした固定用テープと保持用テープは、組合されて挿管チューブ定着用テープとされる。固定用テープ１枚に保持用テープ１枚を組み合わせることが出来るし、固定用テープ２枚に保持用テープ１枚を組み合わせることが出来るし、固定用テープ複数枚に保持用テープ複数枚を組み合わせることが出来る。保持用テープは、上記切り欠き部１２を持った保持用テープ１３をその一部または全部とすることができる。
図示するものは、固定用テープ４を２枚と、切り欠き部１２の無い保持用テープ１１を１枚と、切り欠き部１２を持った保持用テープ１３を１枚組み合わせたものである。
【００１５】
これを使用する場合、図１に示したものを例にして説明すると、固定用テープ４の剥離シート１４を切線１５から連結部５の方を剥がし、口唇部の側方に貼付し、分割片６の方の剥離シート１４を剥がして、下方の分割片を口唇部の下方に貼付する。この場合、固定用テープ４を余り引っ張らないようにして貼り付けると、皮膚にストレスを与えることが少なく、かぶれたりすることがすくない。
そして、他方の分割片６を挿管チューブ１６の端末部に巻き付けるようにすると、挿管チューブ１６を口部に固定することができる。この分割片６を挿管チューブ１６に巻き付ける場合には、分割片６を引張るようにしながらきつく巻き付けるようにすると、挿管チューブ１６の固定を確実に行うことができる。（図４）
【００１６】
挿管チューブ１６の固定を更に確実にするために、もう１本の固定用テープ４を同様にして、その一方の分割片６を口唇部の上方に貼付し、他方の分割片６を挿管チューブ１６の端末部に巻き付ける。（図５）
【００１７】
こうして挿管チューブ１６を固定してから、切り欠き部を有する保持用テープ１３を、その切り欠き部１２が鼻の下方に位置するようにし、上記貼付した固定用テープ４の上から抑えるようにして口唇部の上方に貼付すると、鼻孔を塞ぐようなこともなく固定用テープ４を保持することができる。（図６）
また、口唇部の下方には、同様にして切り欠き部の無い保持用テープ１１を貼付すると、固定テープ４の固定状態を保持することができる。（図７）
【００１８】
こうした固定用テープと保持用テープの組み合わせによって、挿管チューブ１６を口部に確実に定着することができ、また、各テープの粘着作用が少なくても、剥がれるようなこともなく、皮膚に刺激をあたえることも少ない。（図３）
【００１９】
上記したように、挿管チューブ定着用テープとして、固定用テープ２枚と保持用テープ２枚の組み合わせの場合について説明してきたが、固定用テープと保持用テープは、少なくとも１枚ずつ組み合わせればよく、上記に準じて固定用テープによる挿管チューブの固定と、保持用テープによる固定用テープの保持を患者の状況に応じて適宜に組み合わせて使用することができる。
【図面の簡単な説明】
【００２０】
【図１】本考案の実施例を示す固定用テープと保持用テープを組み合わせた挿管チューブ定着用テープ。
【図２】図１（ａ）の拡大断面図である。
【図３】図１に示すものの使用状態を示す説明図である。
【図４】図３に示す使用状態の第１ステップを示す説明図である。
【図５】図３に示す使用状態の第２ステップを示す説明図である。
【図６】図３に示す使用状態の第３ステップを示す説明図である。
【図７】図３に示す使用状態の第４ステップを示す説明図である。
【符号の説明】
【００２１】
１    帯状テープ
２    基材
３    粘着剤層
４    固定用テープ
５    連結部
６    分割片
７    切線
１１  保持用テープ
１２  切り欠き部
１３  鼻部の保持用テープ
１４  剥離シート
１５  剥離シートの切線
１６  挿管チューブ
【図１】
0003128984.tif 000003
【図２】
0003128984.tif 000004
【図３】
0003128984.tif 000005
【図４】
0003128984.tif 000006
【図５】
0003128984.tif 000007
【図６】
0003128984.tif 000008
【図７】
0003128984.tif 000009